(57)【要約】【課題】リサイクル可能で、資源の有効利用を図ることができる使い捨てスリッパを提供する。【解決手段】ソール板２が、２枚の波型の中芯紙を３枚のライナー紙のうち第１のライナー紙と第２のライナー紙との間、および第２のライナー紙と第３のライナー紙との間にそれぞれ交互に挟んで貼り付けた二重ダンボール紙から成る。各中芯紙は、ソール板２の長さ方向に波が繰り返され、足が乗るライナー紙は、吸水に応じて中芯紙の波の頂部の位置よりその周囲が凹んで波型面を形成する性質を有している。土踏まず用板３が、ソール板２の足の土踏まずが乗る位置に貼り付けられている。被覆紙７ａが、ソール板２の縁部を覆うよう貼り付けられている。甲ベルト４が紙製で、ソール板２との間に足先を挿入可能に、両端がソール板２の両側に取り付けられている。【選択図】図１
0003107443.tif 000002
【実用新案登録請求の範囲】
【請求項１】
紙製のソール板と、
前記ソール板との間に足先を挿入可能に両端が前記ソール板の両側に取り付けられた紙製の甲ベルトとを、
有することを特徴とする使い捨てスリッパ。
【請求項２】
前記ソール板の足の土踏まずが乗る位置に土踏まず用板が貼り付けられ、
前記ソール板は２枚の波型の中芯紙を３枚のライナー紙の間にそれぞれ交互に挟んで貼り付けた二重ダンボール紙から成り、各中芯紙は前記ソール板の長さ方向に波が繰り返され、各ライナー紙のうち最上層のライナー紙は吸水に応じて前記中芯紙の波の頂部の位置よりその周囲が凹んで波型面を形成する性質を有し、前記ソール板の縁部を覆うよう被覆紙が貼り付けられていることを、
特徴とする請求項１記載の使い捨てスリッパ。
【考案の詳細な説明】
【技術分野】
【０００１】
本考案は、使い捨てスリッパに関する。
【背景技術】
【０００２】
ホテルや病院、家庭などで使用される一般的なスリッパは、多くの人に繰り返し使用されるため、不衛生であるという問題がある。また、使用のたびにスリッパを洗濯すると、洗濯洗剤により環境を汚染する恐れがあるという問題がある。これらの問題を解決するスリッパとして、使い捨てスリッパがある。従来の使い捨てスリッパには、紙、布、羊毛または植物性繊維から成り、焼却しても有害物質を生じさせないものがある（例えば、特許文献１参照）。
【０００３】
【特許文献１】特開平１１−１６４７０２号公報
【考案の開示】
【考案が解決しようとする課題】
【０００４】
しかしながら、特許文献１記載の使い捨てスリッパは、使用後に焼却されるため、リサイクルがなされず、せっかくの資源の有効利用がなされないという課題があった。
【０００５】
本考案は、このような従来の課題に着目してなされたもので、リサイクル可能で、資源の有効利用を図ることができる使い捨てスリッパを提供することを目的とする。
【課題を解決するための手段】
【０００６】
上記目的を達成するために、本考案に係る使い捨てスリッパは、紙製のソール板と、前記ソール板との間に足先を挿入可能に両端が前記ソール板の両側に取り付けられた紙製の甲ベルトとを、有することを特徴とする。
【０００７】
本考案に係る使い捨てスリッパは、使い捨てスリッパとして好適に使用される。ソール板および甲ベルトが紙製であるため、廃棄後にリサイクル可能であり、資源の有効利用を図ることができる。また、紙製であるため、安価に製造することができる。
【０００８】
本考案に係る使い捨てスリッパは、前記ソール板の足の土踏まずが乗る位置に土踏まず用板が貼り付けられ、前記ソール板は２枚の波型の中芯紙を３枚のライナー紙の間にそれぞれ交互に挟んで貼り付けた二重ダンボール紙から成り、各中芯紙は前記ソール板の長さ方向に波が繰り返され、各ライナー紙のうち最上層のライナー紙は吸水に応じて前記中芯紙の波の頂部の位置よりその周囲が凹んで波型面を形成する性質を有し、前記ソール板の縁部を覆うよう被覆紙が貼り付けられていることが好ましい。
【０００９】
この土踏まず用板を有する構成では、履いたとき、土踏まず用板が足の土踏まずを刺激してマッサージ効果を与えることができる。これにより、足の疲れをとることができ、健康的である。また、土踏まず用板により、履いたときに足が前後にずれるのを防止することができる。ソール板が二重ダンボール紙から成るため、吸水効果、保温効果およびクッション効果を有し、履き心地がよい。最上層のライナー紙が、乗せられた足の汗などを吸水したとき、中芯紙の波の頂部の位置よりその周囲が凹んで、ソール板の長さ方向に波が繰り返される波型面を形成する。波型面は、足裏のツボを刺激してマッサージ効果を与えることができる。被覆紙がソール板の縁部を覆うよう貼り付けられているため、トイレなど床が濡れた場所で使用しても、各ライナー紙の間に水が浸み込みにくい。このため、浸み込んだ水でソール板が破れたり足が濡れたりしにくくすることができる。
【００１０】
なお、中芯紙は、２枚重ねであっても良い。この場合、中芯紙の強度が増すため、波形面の凸部がつぶれるのを防ぎ、マッサージ効果を維持することができる。
土踏まず用板は、ソール板より軟らかい材質の二重ダンボール紙から成り、各中芯紙がソール板の長さ方向に波が繰り返されていてもよい。この場合、土踏まずが乗るライナー紙が足の汗などを吸水して形成する波型面が、土踏まずのツボを刺激するため、マッサージ効果が大きくなり、効果的に足の疲れをとることができる。
【考案の効果】
【００１１】
本考案によれば、リサイクル可能で、資源の有効利用を図ることができる使い捨てスリッパを提供することができる。
【考案を実施するための最良の形態】
【００１２】
以下、図面に基づき本考案の実施の形態について説明する。
図１乃至図４は、本考案の実施の形態の使い捨てスリッパを示している。
図１および図２に示すように、使い捨てスリッパ１は、ソール板２と土踏まず用板３と甲ベルト４とを有している。
【００１３】
図３に示すように、ソール板２は、２枚の波型の中芯紙５を３枚のライナー紙６ａ，６ｂ，６ｃのうち第１のライナー紙６ａと第２のライナー紙６ｂとの間、および第２のライナー紙６ｂと第３のライナー紙６ｃとの間にそれぞれ交互に挟んで、デンプン糊で貼り付けた二重ダンボール紙から成る。各中芯紙５は、やや硬質のボール紙から成る。足が乗るライナー紙６ａは、再生紙、クラフト紙、普通紙または抗菌剤含有紙を表面に貼り合わせた薄手または厚手のボール紙から成る。ライナー紙６ｃは、再生紙、クラフト紙または普通紙を表面に貼り合わせた厚手のボール紙から成る。ライナー紙６ａは、吸水に応じて中芯紙５の波の頂部の位置よりその周囲が凹んで波型面を形成する性質を有している。
【００１４】
図１および図２に示すように、ソール板２は、足の大きさよりやや大きく、爪先部２ａおよび踵部２ｂがほぼ半円状に形成されている。ソール板２は、爪先部２ａと踵部２ｂとの間の中間部２ｃで、幅が爪先部２ａおよび踵部２ｂに向かって徐々に小さくなっている。図３および図４に示すように、ソール板２は、長さ方向に各中芯紙５の波が繰り返されるよう形成されている。図１乃至図４に示すように、ソール板２は、縁部を覆うよう被覆紙７ａが貼り付けられている。被覆紙７ａは、普通紙またはクラフト紙から成り、ソール板２の表面２ｄの縁部から、側部２ｅ、裏面２ｆの縁部にかけて折り曲げられ、デンプン糊で貼り付けられている。
【００１５】
図１乃至図３に示すように、土踏まず用板３は、ソール板２より軟らかい材質の二重ダンボール紙から成っている。土踏まず用板３は、幅がソール板２の幅よりやや小さく、ほぼ矩形状に形成されている。土踏まず用板３は、ソール板２の表面２ｄの中間部２ｃで、足の土踏まずが乗る位置に貼り付けられている。図３（ａ）に示すように、土踏まず用板３は、ソール板２の長さ方向に二重ダンボール紙の各中芯紙５の波が繰り返されるよう貼り付けられている。図１および図２に示すように、土踏まず用板３は、ソール板２の長さ方向に沿った縁部を覆うよう被覆紙７ｂが貼り付けられている。被覆紙７ｂは、普通紙またはクラフト紙から成り、土踏まず用板３の表面３ａの縁部から、側部３ｂ、裏面の縁部にかけて折り曲げられ、デンプン糊で貼り付けられている。
【００１６】
甲ベルト４は、普通紙に補強のためのクラフト紙をデンプン糊で貼り付けて成っている。図１および図２に示すように、甲ベルト４は、足の甲を覆う程度の幅を有し、ソール板２の中間部２ｃの爪先部２ａ寄りの位置に取り付けられている。図４（ｂ）に示すように、甲ベルト４は、ソール板２との間に足先を挿入可能に、両端４ａがソール板２の両側から裏面２ｆに折り曲げられて、それぞれ裏面２ｆにデンプン糊で貼り付けられている。
【００１７】
次に、作用について説明する。
使い捨てスリッパ１は、例えば、ビジネスホテル、一般家庭の家族用、自宅や屋内見学会、落成式などでの短期来客用のスリッパとして使用される。ソール板２および甲ベルト４が普通紙、ボール紙、クラフト紙などの紙製であるため、廃棄後にリサイクル可能であり、環境にやさしく、資源の有効利用を図ることができる。また、紙製であるため、安価に製造することができる。
【００１８】
ソール板２が二重ダンボール紙から成るため、吸水効果、保温効果およびクッション効果を有し、履き心地がよく、足触りも良い。ライナー紙６ａが、足の汗などを吸水して、中芯紙５の波の頂部の位置よりその周囲が凹んで、ソール板２の長さ方向に波が繰り返される波型面を形成する。このとき、波型面が足裏のツボを刺激してマッサージ効果を与えることができる。被覆紙７ａがソール板２の縁部を覆うよう貼り付けられているため、トイレなど床が濡れた場所で使用しても、ライナー紙６ａとライナー紙６ｂとの間、またはライナー紙６ｂとライナー紙６ｃとの間に水が浸み込みにくい。このため、浸み込んだ水でソール板が破れたり足を濡らしたりしにくくすることができる。
【００１９】
使い捨てスリッパ１は、履いたとき、土踏まず用板３が土踏まずを刺激してマッサージ効果を与えることができる。さらに、土踏まずが乗るライナー紙が足の汗などを吸水して形成する波型面が、土踏まずの足裏のツボを刺激するため、マッサージ効果が大きくなり、効果的に足の疲れをとることができる。このため、足の疲れをとることができ、健康的である。また、土踏まず用板３により、履いたときに足が前後にずれるのを防止することができる。
【００２０】
なお、ライナー紙６ａおよびライナー紙６ｂの間隔と、ライナー紙６ｂおよびライナー紙６ｃの間隔とが異なっていてもよい。この場合、例えばライナー紙６ａおよびライナー紙６ｂの間隔を５ｍｍ、ライナー紙６ｂおよびライナー紙６ｃの間隔を３ｍｍのように、足が乗る側の間隔を大きくすることにより、ライナー紙６ａが吸水したときの凹みが大きくなり、マッサージ効果が大きくなる。
ライナー紙６ａおよびライナー紙６ｂの間の中芯紙５は、２枚重ねであってもよい。この場合、中芯紙５の強度が増すため、波形面の凸部がつぶれるのを防ぎ、マッサージ効果を維持することができる。
ソール板２や土踏まず用板３は、厚さ方向に貫通した通気用の穴を有していてもよい。この場合、足がむれるのを防ぐことができる。
ソール板の裏面２ｆの踵部２ｂには、二重ダンボール紙から成る踵用板がデンプン糊で貼り付けられていてもよい。この場合、踵部２ｂのクッション効果が高くなり、履き心地がよい。
甲ベルトは、普通紙に補強のためのクラフト紙をデンプン糊で貼り付けるほか、普通紙をガムテープで補強して成っていてもよい。
【図面の簡単な説明】
【００２１】
【図１】本考案の実施の形態の使い捨てスリッパを示す斜視図である。
【図２】図１に示す使い捨てスリッパの平面図である。
【図３】図２に示す使い捨てスリッパのソール板および土踏まず用板を示す（ａ）Ａ−Ａ断面図、（ｂ）その爪先部の部分拡大図である。
【図４】図２に示す使い捨てスリッパの（ａ）Ｂ−Ｂ断面図、（ｂ）その縁部の部分拡大図である。
【符号の説明】
【００２２】
１    使い捨てスリッパ
２    ソール板
３    土踏まず用板
４    甲ベルト
５    中芯紙
６    ライナー紙
７ａ，７ｂ  被覆紙
【図１】
0003107443.tif 000003
【図２】
0003107443.tif 000004
【図３】
0003107443.tif 000005
【図４】
0003107443.tif 000006
【手続補正書】
【提出日】平成16年9月28日(2004.9.28)
【手続補正１】
【補正対象書類名】実用新案登録請求の範囲
【補正対象項目名】全文
【補正方法】変更
【補正の内容】
【実用新案登録請求の範囲】
【請求項１】
ソール板と甲ベルトとを有し、
前記ソール板は２枚の波型の中芯紙を３枚のライナー紙の間にそれぞれ交互に挟んで貼り付けた二重ダンボール紙から成り、各中芯紙は前記ソール板の長さ方向に波が繰り返され、各ライナー紙のうち最上層のライナー紙は吸水に応じて前記中芯紙の波の頂部の位置よりその周囲が凹んで波型面を形成する性質を有し、
前記甲ベルトは紙製で、前記ソール板との間に足先を挿入可能に両端が前記ソール板の両側に取り付けられていることを、
特徴とする使い捨てスリッパ。
【請求項２】
前記ソール板の足の土踏まずが乗る位置に土踏まず用板が貼り付けられ、
前記ソール板は縁部を覆うよう被覆紙が貼り付けられていることを、
特徴とする請求項１記載の使い捨てスリッパ。
【手続補正２】
【補正対象書類名】明細書
【補正対象項目名】０００６
【補正方法】変更
【補正の内容】
【０００６】
上記目的を達成するために、本考案に係る使い捨てスリッパは、ソール板と甲ベルトとを有し、前記ソール板は２枚の波型の中芯紙を３枚のライナー紙の間にそれぞれ交互に挟んで貼り付けた二重ダンボール紙から成り、各中芯紙は前記ソール板の長さ方向に波が繰り返され、各ライナー紙のうち最上層のライナー紙は吸水に応じて前記中芯紙の波の頂部の位置よりその周囲が凹んで波型面を形成する性質を有し、前記甲ベルトは紙製で、前記ソール板との間に足先を挿入可能に両端が前記ソール板の両側に取り付けられていることを、特徴とする。
【手続補正３】
【補正対象書類名】明細書
【補正対象項目名】０００７
【補正方法】変更
【補正の内容】
【０００７】
本考案に係る使い捨てスリッパは、使い捨てスリッパとして好適に使用される。ソール板および甲ベルトが紙製であるため、廃棄後にリサイクル可能であり、資源の有効利用を図ることができる。また、紙製であるため、安価に製造することができる。ソール板が二重ダンボール紙から成るため、吸水効果、保温効果およびクッション効果を有し、履き心地がよい。最上層のライナー紙が、乗せられた足の汗などを吸水したとき、中芯紙の波の頂部の位置よりその周囲が凹んで、ソール板の長さ方向に波が繰り返される波型面を形成する。波型面は、足裏のツボを刺激してマッサージ効果を与えることができる。
なお、中芯紙は、２枚重ねであっても良い。この場合、中芯紙の強度が増すため、波形面の凸部がつぶれるのを防ぎ、マッサージ効果を維持することができる。
【手続補正４】
【補正対象書類名】明細書
【補正対象項目名】０００８
【補正方法】変更
【補正の内容】
【０００８】
本考案に係る使い捨てスリッパは、前記ソール板の足の土踏まずが乗る位置に土踏まず用板が貼り付けられ、前記ソール板は縁部を覆うよう被覆紙が貼り付けられていることが好ましい。
【手続補正５】
【補正対象書類名】明細書
【補正対象項目名】０００９
【補正方法】変更
【補正の内容】
【０００９】
この土踏まず用板を有する構成では、履いたとき、土踏まず用板が足の土踏まずを刺激してマッサージ効果を与えることができる。これにより、足の疲れをとることができ、健康的である。また、土踏まず用板により、履いたときに足が前後にずれるのを防止することができる。被覆紙がソール板の縁部を覆うよう貼り付けられているため、トイレなど床が濡れた場所で使用しても、各ライナー紙の間に水が浸み込みにくい。このため、浸み込んだ水でソール板が破れたり足が濡れたりしにくくすることができる。
【手続補正６】
【補正対象書類名】明細書
【補正対象項目名】００１０
【補正方法】変更
【補正の内容】
【００１０】
土踏まず用板は、ソール板より軟らかい材質の二重ダンボール紙から成り、各中芯紙がソール板の長さ方向に波が繰り返されていてもよい。この場合、土踏まずが乗るライナー紙が足の汗などを吸水して形成する波型面が、土踏まずのツボを刺激するため、マッサージ効果が大きくなり、効果的に足の疲れをとることができる。